(57)【要約】【課題】  適切にハイライト表示制御を行う電子機器を提供することを目的とする。【解決手段】  ディスクドライブ３でリードされたデータはストリームバッファ領域４に蓄積されストリームデコーダ５へ出力される。ストリームデコーダ５は副映像データで構成される副映像パックを取り出し副映像デコーダ８へ転送する。副映像デコーダ８は複数ハイライトを設定する機能を有する。ナビゲーションマネージャ１３はストリームバッファ領域３に蓄積されるナビゲーションデータを読み取る。ナビゲーションマネージャ１３はプレゼンテーションエンジン１４にハイライト情報を与えプレゼンテーションエンジン１４はハイライト情報に基いて副映像デコーダ８を制御しハイライトの時間制御ハイライトの表示状態管理および割込み通知を行う。ナビゲーションマネージャ１３から与えられるハイライト情報をプレゼンテーションエンジン１４と接続されるバッファ領域１５に記憶する。【選択図】  図１
2005135559.tif 000002
【特許請求の範囲】
【請求項１】
第１のハイライト表示開始時刻と第１のハイライト表示終了時刻とを有する第１のハイライト情報および第２のハイライト表示開始時刻と第２のハイライト表示終了時刻とを有する第２のハイライト情報が記憶される記憶媒体から前記第１のハイライト情報および前記第２のハイライト情報を読み取る読み込み手段と、
前記読み込み手段によって読込まれた前記第１のハイライト情報および前記第２のハイライト情報を保持する保持手段と、
前記保持手段によって保持される前記第２のハイライト情報に基いて、前記第１のハイライト表示終了時刻よりも前の時刻に、前記第２のハイライト情報を設定する設定手段と、
前記設定手段によって設定された前記第２のハイライト情報に基いて、前記第２のハイライト表示開始時刻に前記第２のハイライト表示を開始させる表示開始手段と、
を具備することを特徴とする電子機器。
【請求項２】
第１のハイライト表示開始時刻と第１のハイライト表示終了時刻とを有する第１のハイライト情報および第２のハイライト表示開始時刻と第２のハイライト表示終了時刻と前記第２のハイライト表示開始時刻に選択されるボタン番号が無いことを意味する値とを有する第２のハイライト情報が記憶される記憶媒体から前記第１のハイライト情報および前記第２のハイライト情報を読み込む読み込み手段と、
前記読み込み手段によって読込まれた前記第１のハイライト情報および前記第２のハイライト情報を保持する保持手段と、
前記保持手段によって保持される前記第２のハイライト情報に基いて、前記第１のハイライト表示終了時刻よりも前の時刻に、前記第２のハイライト情報を設定する設定手段と、
前記設定手段によって設定された前記第２のハイライト情報に基いて、前記第２のハイライト表示開始時刻に前記第２のハイライト表示を開始させる表示開始手段と、
前記第１のハイライト表示終了時刻よりも前の時刻に、前記第１のハイライトがなされるボタンの番号の値が変更された場合、変更されたボタンの番号の値を前記第２のハイライト情報に基いて第２のハイライトがなされるボタンの番号の値として設定する設定手段と、
を具備することを特徴とする電子機器。
【請求項３】
前記読み込み手段によって読込まれる前記第１のハイライト情報および前記第２のハイライト情報を読み取るナビゲーションマネージャと、
前記保持手段は、
前記ナビゲーションマネージャが読み取った前記第１のハイライト情報および前記第２のハイライト情報を保持する手段を含むことを特徴とする請求項１または２記載の電子機器。
【請求項４】
前記読み込み手段によって読込まれる前記第１のハイライト情報および前記第２のハイライト情報を読み取るプレゼンテーションエンジンと、
前記保持手段は、
前記プレゼンテーションエンジンが読み取った前記第１のハイライト情報および前記第２のハイライト情報を保持する手段とを含むことを特徴とする請求項１または２記載の電子機器。
【請求項５】
ハイライト表示開始時刻とハイライト表示終了時刻と前記ハイライト表示終了時刻と同じ値であるボタン選択終了時刻とを有するハイライト情報が記憶される記憶媒体から前記ハイライト情報を読み込む読み込み手段と、
前記読み込み手段によって読込まれた前記ハイライト情報に基いて、前記ハイライト表示終了時刻の値を、終了時刻の無いことを意味する値に変更する変更手段と、
を具備することを特徴とする電子機器。
【請求項６】
前記ボタンコマンドがＪｕｍｐまたはＬｉｎｋコマンドを有しないボタンコマンドである場合、
前記読み込み手段によって読込まれた前記ハイライト情報が有する前記ハイライト表示終了時刻よりも前の時刻に前記ボタンコマンドが実行された場合、前記ボタンコマンドが実行されることで表示される決定色の表示を前記ハイライト表示終了時刻に終了させる表示終了手段と、
をさらに具備することを特徴とする請求項５記載の電子機器。
【請求項７】
前記読み込み手段によって読込まれる前記ハイライト情報を読み取るナビゲーションマネージャと、
前記保持手段は、
前記ナビゲーションマネージャが読み取った前記ハイライト情報を保持する手段を含むことを特徴とする請求項５記載の電子機器。
【請求項８】
前記読み込み手段によって読込まれる前記ハイライト情報を読み取るプレゼンテーションエンジンと、
前記保持手段は、
前記プレゼンテーションエンジンが読み取った前記ハイライト情報を保持する手段を含むことを特徴とする請求項５記載の電子機器。
【請求項９】
第１のハイライト表示開始時刻と第１のハイライト表示終了時刻とを有する第１のハイライト情報および第２のハイライト表示開始時刻と第２のハイライト表示終了時刻とを有する第２のハイライト情報が記憶される記憶媒体から前記第１のハイライト情報および前記第２のハイライト情報を読み込むステップと、
前記読込まれた前記第１のハイライト情報および前記第２のハイライト情報を保持するステップと、
前記保持される前記第２のハイライト情報に基いて、前記第１のハイライト表示終了時刻よりも前の時刻に、前記第２のハイライト情報を設定するステップと、
前記設定された前記第２のハイライト情報に基いて、前記第２のハイライト表示開始時刻に前記第２のハイライト表示を開始するステップと、
を具備することを特徴とするハイライト表示制御方法。
【請求項１０】
第１のハイライト表示開始時刻と第１のハイライト表示終了時刻とを有する第１のハイライト情報および第２のハイライト表示開始時刻と第２のハイライト表示終了時刻と前記第２のハイライト表示開始時刻に選択されるボタン番号が無いことを意味する値とを有する第２のハイライト情報が記憶される記憶媒体から前記第１のハイライト情報および前記第２のハイライト情報を読み込むステップと、
前記読込まれた前記第１のハイライト情報および前記第２のハイライト情報を保持するステップと、
前記保持される前記第２のハイライト情報に基いて、前記第１のハイライト表示終了時刻よりも前の時刻に、前記第２のハイライト情報を設定するステップと、
前記設定された前記第２のハイライト情報に基いて、前記第２のハイライト表示開始時刻に前記第２のハイライト表示を開始するステップと、
前記第１のハイライト表示終了時刻よりも前の時刻に、前記第１のハイライトがなされるボタンの番号の値が変更された場合、変更されたボタンの番号の値を前記第２のハイライト情報に基いて第２のハイライトがなされるボタンの番号の値に設定するステップを含むことを特徴とするハイライト表示制御方法。
【請求項１１】
前記読み込むステップは、
前記読込まれた前記第１のハイライト情報および前記第２のハイライト情報をナビゲーションマネージャが読み取るステップを含み、
前記保持するステップは、
前記ナビゲーションマネージャが読み取った前記第１のハイライト情報および前記第２のハイライト情報を保持するステップを含むことを特徴とする請求項９乃至１０記載のハイライト表示制御方法。
【請求項１２】
前記読み込むステップは、
前記読込まれた前記第１のハイライト情報および前記第２のハイライト情報をプレゼンテーションエンジンが読み取るステップを含み、
前記保持するステップは、
前記プレゼンテーションエンジンが読み取った前記第１のハイライト情報および前記第２のハイライト情報を保持するステップを含むことを特徴とする請求項９乃至１０記載のハイライト表示制御方法。
【請求項１３】
ハイライト表示開始時刻とハイライト表示終了時刻と前記ハイライト表示終了時刻と同じ値であるボタン選択終了時刻とを有するハイライト情報が記憶される記憶媒体から前記ハイライト情報を読み込むステップと、
前記読込まれた前記ハイライト情報に基いて、前記ハイライト表示終了時刻の値を、終了時刻の無いことを意味する値に変更するステップと、
を具備することを特徴とするハイライト表示制御方法。
【請求項１４】
前記ボタンコマンドがＪｕｍｐまたはＬｉｎｋコマンドを有しないボタンコマンドである場合、
前記読込まれた前記ハイライト情報が有する前記ハイライト表示終了時刻よりも前の時刻に前記ボタンコマンドが実行された場合、前記ボタンコマンドが実行されることで表示される決定色の表示を前記ハイライト表示終了時刻に終了させる表示終了ステップと、
をさらに具備することを特徴とする請求項１３記載のハイライト表示制御方法。
【請求項１５】
前記読み込むステップは、
前記読込まれた前記ハイライト情報をナビゲーションマネージャが読み取るステップを含み、
前記保持するステップは、
前記ナビゲーションマネージャが読み取った前記ハイライト情報を保持するステップを含むことを特徴とする請求項１３記載のハイライト表示制御方法。
【請求項１６】
前記読み込むステップは、
前記読込まれた前記ハイライト情報をプレゼンテーションエンジンが読み取るステップを含み、
前記保持するステップは、
前記プレゼンテーションエンジンが読み取った前記ハイライト情報を保持するステップを含むことを特徴とする請求項１３記載のハイライト表示制御方法。
【請求項１７】
第１のハイライト表示開始時刻と第１のハイライト表示終了時刻とを有する第１のハイライト情報および第２のハイライト表示開始時刻と第２のハイライト表示終了時刻とを有する第２のハイライト情報が記憶される記憶媒体から前記第１のハイライト情報および前記第２のハイライト情報を読み取る読み込み手段と、
前記読み込み手段によって読込まれた前記第１のハイライト情報および前記第２のハイライト情報を保持する保持手段と、
前記保持手段によって保持される前記第２のハイライト情報に基いて、前記第１のハイライト表示終了時刻よりも前の時刻に、前記第２のハイライト情報を副映像デコーダに設定する設定手段と、
前記設定手段によって前記副映像デコーダに設定された前記第２のハイライト情報に基いて、前記第２のハイライト表示開始時刻に前記第２のハイライト表示を開始させる表示開始手段と、
を具備することを特徴とする電子機器。
【請求項１８】
第１のハイライト表示開始時刻と第１のハイライト表示終了時刻とを有する第１のハイライト情報および第２のハイライト表示開始時刻と第２のハイライト表示終了時刻と前記第２のハイライト表示開始時刻に選択されるボタン番号が無いことを意味する値とを有する第２のハイライト情報が記憶される記憶媒体から前記第１のハイライト情報および前記第２のハイライト情報を読み込む読み込み手段と、
前記読み込み手段によって読込まれた前記第１のハイライト情報および前記第２のハイライト情報を保持する保持手段と、
前記保持手段によって保持される前記第２のハイライト情報に基いて、前記第１のハイライト表示終了時刻よりも前の時刻に、前記第２のハイライト情報を副映像デコーダに設定する設定手段と、
前記設定手段によって前記副映像デコーダに設定された前記第２のハイライト情報に基いて、前記第２のハイライト表示開始時刻に前記第２のハイライト表示を開始させる表示開始手段と、
前記第１のハイライト表示終了時刻よりも前の時刻に、前記第１のハイライトがなされるボタンの番号の値が変更された場合、変更されたボタンの番号の値を前記第２のハイライト情報に基いて第２のハイライトがなされるボタンの番号の値として設定する設定手段と、
を具備することを特徴とする電子機器。
【発明の詳細な説明】
【技術分野】
【０００１】
本発明は、ＤＶＤ規格に定義されるハイライト情報を使用した電子機器、および該ハイライト情報の表示制御方法に関する。
【背景技術】
【０００２】
近年、大容量の記憶媒体であるＤＶＤ（Ｄｉｇｉｔａｌ  Ｖｅｒｓａｔｉｌｅ  Ｄｉｓｋ）に係る開発が盛んに行われている。ＤＶＤには音声情報や映像情報に加え、副映像情報を記憶することが可能である。副映像情報に基づいて画面上に表示される内容としてボタンがある。ボタンはユーザによる選択が可能な画面上の矩形領域である。一般にボタンはビデオ、サブピクチャ及びハイライト情報の組み合わせで定義される。ハイライト情報の説明は次の特許文献に示されている（特許文献１参照。）。
【特許文献１】特開平９−２８２８４８（第１０頁、第６図乃至第８図）
【発明の開示】
【発明が解決しようとする課題】
【０００３】
通常、ディスク上に複数のハイライト情報が記憶される。複数のハイライト情報のうちの一つのハイライト情報に基づくハイライトが画面上に表示される。しかしながら、画面上に表示されるハイライトに関して以下に説明する問題点を有していた。
【０００４】
現在、画面上に表示中であるハイライトの終了時刻と、次に画面上に表示されるハイライトの開始時刻とが等しい、または次に画面上に表示されるハイライトの開始時刻の方が早い、という内容がディスクに記憶されている場合、このディスクを再生する機器は、現在、画面上に表示中のハイライトの制御終了後、次に画面上に表示されるハイライトの制御開始に移行するため、現在、画面上に表示中であるハイライト表示が終了されると同時に、次に画面上に表示されるハイライトが開始されず、遅延が発生するという問題があった。
【０００５】
そこで、本発明は上記の問題を始めとするハイライト表示制御に関する問題を鑑みてなされたものであり、適切にハイライト表示制御を行う電子機器を提供することを目的とする。
【課題を解決するための手段】
【０００６】
上記目的を達成するために、請求項１に係る発明では、第１のハイライト表示開始時刻と第１のハイライト表示終了時刻とを有する第１のハイライト情報および第２のハイライト表示開始時刻と第２のハイライト表示終了時刻とを有する第２のハイライト情報が記憶される記憶媒体から第１のハイライト情報および第２のハイライト情報を読み取る読み込み手段と、読み込み手段によって読込まれた第１のハイライト情報および第２のハイライト情報を保持する保持手段と、保持手段によって保持される第２のハイライト情報に基いて、第１のハイライト表示終了時刻よりも前の時刻に、第２のハイライト情報を設定する設定手段と、設定手段によって設定された第２のハイライト情報に基いて、第２のハイライト表示開始時刻に第２のハイライト表示を開始させる表示開始手段とを具備することを特徴とする。
【０００７】
また、請求項２に係る発明では、第１のハイライト表示開始時刻と第１のハイライト表示終了時刻とを有する第１のハイライト情報および第２のハイライト表示開始時刻と第２のハイライト表示終了時刻と第２のハイライト表示開始時刻に選択されるボタン番号が無いことを意味する値とを有する第２のハイライト情報が記憶される記憶媒体から第１のハイライト情報および第２のハイライト情報を読み込む読み込み手段と、読み込み手段によって読込まれた第１のハイライト情報および第２のハイライト情報を保持する保持手段と、保持手段によって保持される第２のハイライト情報に基いて、第１のハイライト表示終了時刻よりも前の時刻に、第２のハイライト情報を設定する設定手段と、設定手段によって設定された第２のハイライト情報に基いて、第２のハイライト表示開始時刻に第２のハイライト表示を開始させる表示開始手段と、第１のハイライト表示終了時刻よりも前の時刻に、第１のハイライトがなされるボタンの番号の値が変更された場合、変更されたボタンの番号の値を第２のハイライト情報に基いて第２のハイライトがなされるボタンの番号の値として設定する設定手段とを具備することを特徴とする。
【０００８】
また、請求項５に係る発明では、ハイライト表示開始時刻とハイライト表示終了時刻とハイライト表示終了時刻と同じ値であるボタン選択終了時刻とを有するハイライト情報が記憶される記憶媒体からハイライト情報を読み込む読み込み手段と、読み込み手段によって読込まれたハイライト情報に基いて、ハイライト表示終了時刻の値を、終了時刻の無いことを意味する値に変更する変更手段とを具備することを特徴とする。
【０００９】
また、請求項９に係る発明では、第１のハイライト表示開始時刻と第１のハイライト表示終了時刻とを有する第１のハイライト情報および第２のハイライト表示開始時刻と第２のハイライト表示終了時刻とを有する第２のハイライト情報が記憶される記憶媒体から第１のハイライト情報および第２のハイライト情報を読み込むステップと、読込まれた第１のハイライト情報および第２のハイライト情報を保持するステップと、保持される第２のハイライト情報に基いて、第１のハイライト表示終了時刻よりも前の時刻に、第２のハイライト情報を設定するステップと、設定された第２のハイライト情報に基いて、第２のハイライト表示開始時刻に第２のハイライト表示を開始するステップとを具備することを特徴とする。
【００１０】
また、請求項１０に係る発明では、第１のハイライト表示開始時刻と第１のハイライト表示終了時刻とを有する第１のハイライト情報および第２のハイライト表示開始時刻と第２のハイライト表示終了時刻と第２のハイライト表示開始時刻に選択されるボタン番号が無いことを意味する値とを有する第２のハイライト情報が記憶される記憶媒体から第１のハイライト情報および第２のハイライト情報を読み込むステップと、読込まれた第１のハイライト情報および第２のハイライト情報を保持するステップと、保持される第２のハイライト情報に基いて、第１のハイライト表示終了時刻よりも前の時刻に、第２のハイライト情報を設定するステップと、設定された第２のハイライト情報に基いて、第２のハイライト表示開始時刻に第２のハイライト表示を開始するステップと、第１のハイライト表示終了時刻よりも前の時刻に、第１のハイライトがなされるボタンの番号の値が変更された場合、変更されたボタンの番号の値を第２のハイライト情報に基いて第２のハイライトがなされるボタンの番号の値に設定するステップを含むことを特徴とする。
【００１１】
また、請求項１３に係る発明では、ハイライト表示開始時刻とハイライト表示終了時刻とハイライト表示終了時刻と同じ値であるボタン選択終了時刻とを有するハイライト情報が記憶される記憶媒体からハイライト情報を読み込むステップと、読込まれたハイライト情報に基いて、ハイライト表示終了時刻の値を、終了時刻の無いことを意味する値に変更するステップとを具備することを特徴とする。
【発明の効果】
【００１２】
本発明によれば、適切にハイライト表示を行うことが可能となる。
【発明を実施するための最良の形態】
【００１３】
以下本発明に係る実施の形態を、図面を参照して説明する。
【００１４】
図１は、本発明の第１の実施形態に係るディスク記録再生装置の構成を示す図である。
【００１５】
ディスク記録再生装置１は、ＡＶ部１ａ、システム制御部１ｂ、及び入出力部１ｃで構成される。さらにＡＶ部１ａは、ディスクドライブ３、ストリームバッファ領域４、ストリームデコーダ５、ビデオデコーダ６、表示制御部７、副映像デコーダ８、表示装置９、オーディオデコーダ１０、ＤＡＣ１１、及びスピーカ１２で構成される。
【００１６】
記憶媒体である光ディスク２は、ディスクドライブ３にセットされる。ディスクドライブ３は、光ディスク２を回転駆動させ、この光ディスク２に対してデータのリード／ライト／消去動作等を行う。
【００１７】
ディスクドライブ３でリードされたデータは、ストリームバッファ領域４に蓄積される。ストリームバッファ領域４にバッファリングされたストリームデータは、ストリームデコーダ５へ出力される。
【００１８】
ストリームデコーダ５は、ストリームデータをビデオデータで構成されるビデオパック、副映像データで構成される副映像パック、オーディオデータで構成されるオーディオパックの３種類のパックに分け、夫々のデータに記されている、転送時間とデータの種別を示すＩＤとを参照にすることで、ビデオパックをビデオデコーダ６、副映像パックを副映像デコーダ８、オーディオパックをオーディオデコーダ１０へ転送する。
【００１９】
ビデオデコーダ６は、ストリームデコーダ５から転送されたビデオデータをデコードし、デコード処理することで生成されたデータを表示制御部７へ転送する。副映像デコーダ８は、ストリームデコーダ５から転送された副映像データをデコードし、デコード処理することで生成されたデータを表示制御部７へ転送する。さらに、副映像デコーダ８は複数ハイライトを予め設定する機能を有する。
【００２０】
表示制御部７は、ビデオデコーダ６及び副映像デコーダ８から出力されるデジタル信号をアナログ信号へ変換し多重化を行う。表示装置９は入出力部１ｃに属し、表示制御装置７から出力されるアナログ信号を生成する。
【００２１】
オーディオデコーダ１０は、ストリームデコーダ５から転送されたオーディオデータをデコードし、デコード処理することで生成されたデータをデジタルアナログコンバータ（ＤＡＣ）１１へ転送する。
【００２２】
ＤＡＣ１１は、オーディオデコーダ１０から出力されるデジタル信号をアナログ信号へ変換する。スピーカ１２は入出力部１ｃに属し、ＤＡＣ１１から出力されるアナログ信号を再生する。
【００２３】
システム制御部１ｂは、ナビゲーションマネージャ１３、プレゼンテーションエンジン１４、及びバッファ領域１５で構成される。
【００２４】
ナビゲーションマネージャ１３は、ストリームバッファ領域３に蓄積されるナビゲーションデータ（後述で説明するＤＳＩ、ＰＣＩ等）を読み取る。このナビゲーションデータとは、プレーヤの再生方法を決定する条件を定義するデータである。ナビゲーションデータに定義されるプレーヤの再生方法を決定する条件に加えて、ユーザの操作によってプレーヤの再生方法を決定することが可能である。ナビゲーションマネージャ１３がナビゲーションデータを読み取ることで、ナビゲーションマネージャ１３は、後述で説明するプレゼンテーションエンジン１４がプレゼンテーションデータをデコード及び再生する方法を設定する。
【００２５】
プレゼンテーションエンジン１４は、ディスクドライブ３、ストリームバッファ領域４、ストリームデコーダ５、ビデオデコーダ６、副映像デコーダ８、表示制御部７、およびオーディオデコーダ９の制御を行う。プレゼンテーションエンジン１４は、ナビゲーションマネージャ１３から出される再生指示に従って光ディスク１に記憶されているプレゼンテーションデータを再生する。さらに、プレゼンテーションエンジン１４は、ナビゲーションマネージャ１３から与えられるハイライト情報（後述で詳細に説明）に基いて副映像デコーダ８を制御し、また、ハイライトの時間制御、ハイライトの表示状態管理および割込み通知を行う。ナビゲーションマネージャ１３から与えられるハイライト情報は、プレゼンテーションエンジン１４と接続されるバッファ領域１５に記憶されることが可能である。
【００２６】
入出力部１ｃは、表示装置９、スピーカ１２、キー入力部１６、及びパネル表示部１７で構成される。
【００２７】
キー入力部１６は、ユーザが本ディスク記録再生装置１に所定の指示を出す際に使用される。パネル表示部１７には、例えば光ディスク１の再生時における諸情報等が表示される。
【００２８】
図２は、光ディスクに記憶されているデータのパック構造を示す図である。
【００２９】
以下、ビデオオブジェクトセットＶＯＢＳ（Ｖｉｄｅｏ  ＯＢｊｅｃｔ  Ｓｅｔ）１００に含まれる情報の階層構造を説明する。各ＣＥＬＬ１０２は、１以上のビデオオブジェクトユニット（ＶＯＢＵ）１０３で構成される。各ＶＯＢＵは、ナビゲーションパック（ＮＶ＿ＰＣＫ）１０４を先頭としてビデオパック（Ｖ＿ＰＣＫ）、副映像パック（ＳＰ＿ＰＣＫ）、及びオーディオパック（Ａ＿ＰＣＫ）の集合体で構成される。これらのパックは、データ転送処理を行う際の最小単位となる。また、論理上の処理を行う最小単位はセル単位である。
【００３０】
ＶＯＢには、識別番号が付され、この識別番号によってそのＶＯＢを特定することが可能である。通常のビデオストリームは複数のセルで構成されるが、メニュー用のビデオストリームは１つのセルで構成される場合もある。各セルには、ＶＯＢの場合と同様に識別番号が付されている。
【００３１】
ナビゲーションパック１０４は、パックヘッダ、再生制御情報／プレゼンテーション情報（ＰＣＩ）パケット１０５、データ検索情報（ＤＳＩ）パケットを含んでいる。ＰＣＩパケットはパケットヘッダ及びＰＣＩデータで構成され、ＤＳＩパケットはパケットヘッダ及びＤＳＩデータで構成される。
【００３２】
ＰＣＩパケット１０５は、パケットヘッダ、サブストリームＩＤ、及びＰＣＩデータ１０６で構成される。ＰＣＩデータ１０６は、ＶＯＢＵ内のビデオデータの再生状態に同期して表示内容あるいは再生内容（プレゼンテーション内容）を変更するためのナビゲーションデータである。
【００３３】
図３は、ＰＣＩデータの内容を示した図である。
【００３４】
ＰＣＩデータ１０６は、ＰＣＩ一般情報（ＰＣＩ＿ＧＩ）、ノンシームレス再生用アングル情報（ＮＳＭＬ＿ＡＧＬＩ）、ハイライト情報（ＨＬＩ）１０７、記録情報（ＲＥＣＩ）を含む。ハイライト情報１０７は、ハイライト一般情報（ＨＬ＿ＧＩ）１０８、ボタン・カラー情報テーブル（ＢＴＮ＿ＣＯＬＩＴ）１０９、ボタン情報テーブル（ＢＴＮＩＴ）１１０を含む。
【００３５】
図４は、ハイライト一般情報の内容を示した図である。
【００３６】
ハイライト一般情報１０８は全体としてハイライト情報に関する情報である。ＨＬＩ＿ＳＳ２０１にはＨＬＩの状態が記されている。ＨＬＩ＿Ｓ＿ＰＴＭ２０２にはＨＬＩ１０７が有効になるハイライト開始時刻が記されている。ＨＬＩ＿Ｅ＿ＰＴＭ２０３にはＨＬＩが無効になるハイライト終了時刻が記されている。ＢＴＮ＿ＳＬ＿Ｅ＿ＰＴＭ２０４にはＨＬＩにおいてボタン選択有効期間の終了時刻（以下、ボタン選択終了時刻と称す。）が記されている。ＦＯＳＬ＿ＢＴＮＮ２０５には、ＨＬＩ＿Ｓ＿ＰＴＭ２０２が示す時刻において、強制的に選択されるボタン番号が記録されている。強制的に選択されるボタン番号が存在しない場合には、ＦＯＳＬ＿ＢＴＮＮ２０５にゼロが記録される。
【００３７】
ＦＯＡＣ＿ＢＴＮＮ２０６には、ＢＴＮ＿ＳＬ＿Ｅ＿ＰＴＭ２０４が示す時刻において、強制的に選択されるボタン番号が記録されている。強制的に選択されるボタン番号が存在しない場合には、ＢＴＮ＿ＳＬ＿Ｅ＿ＰＴＭ２０４にゼロが記録される。ＢＴＮ＿ＳＬ＿Ｅ＿ＰＴＭ２０４が示す時刻に選択されているボタン番号を強制的に決定する場合には、ＢＴＮ＿ＳＬ＿Ｅ＿ＰＴＭ２０４に６３が記録される。
【００３８】
図５は、ボタン・カラー情報テーブルの内容を示した図である。
【００３９】
ボタン・カラー情報テーブル１０９は、３つのボタン・カラー情報（ＢＴＮ＿ＣＯＬＩ）である、ＢＴＮ＿ＣＯＬＩ＃１、ＢＴＮ＿ＣＯＬＩ＃２、及びＢＴＮ＿ＣＯＬＩ＃３で構成される。ＢＴＮ＿ＣＯＬＩの記述順に、ボタン・カラー番号（ＢＴＮ＿ＣＯＬＮ）である＃１〜＃３が付与される。
【００４０】
ＢＴＮ＿ＣＯＬＩは、選択色情報（ＳＬ＿ＣＯＬＩ）３１１と決定色情報（ＡＣ＿ＣＯＬＩ）３１２とで構成される。ＳＬ＿ＣＯＬＩ３１１にはボタンが選択状態の時に表示される色とコントラストとが記述される。選択状態において、ユーザはハイライトされたボタンから他のボタンへとボタンを移動させることが可能である。ＡＣ＿ＣＯＬＩ３１２にはボタンが決定状態の時に表示される色とコントラストとが記述される。決定状態において、ユーザはハイライトされたボタンから他のボタンへとボタンを移動させることが不可能である。
【００４１】
図６は、ボタン情報テーブルの内容を示した図である。
【００４２】
ＢＴＮＩＴ１１０は、３６個のボタン情報（ＢＴＮＩ）で構成される。ＢＴＮＩＴ１１０は、３６ＢＴＮＩから成る１グループモード、１８ＢＴＮＩから成る２グループモード、または１２ＢＴＮＩから成る３グループモードとして使用することが可能である。ボタン番号（ＢＴＮＮ）は、各ボタングループ毎にＢＴＮＩの記述順に１から付与される。
【００４３】
ＢＴＮＩ４０１は、ボタン位置情報（ＢＴＮ＿ＰＯＳＩ）４１１と隣接ボタン位置情報（ＡＪＢＴＮ＿ＰＯＳＩ）４１２とボタンコマンド（ＢＴＮ＿ＣＭＤ）４１３とで構成される。ＢＴＮ＿ＰＯＳＩ４１１には、ボタンに使われるボタン色情報、表示矩形領域及びボタン決定モードが記述される。ＡＪＢＴＮ＿ＰＯＳＩ４１２には、上下左右に配置されるボタンのボタン番号が記述される。ＢＴＮ＿ＣＭＤ４１３には、ボタンが決定されたとき実行されるコマンドが記述される。
【００４４】
図７は、本発明に係るナビゲーションマネージャによる制御の一実施例を示すフローチャートである。
【００４５】
ナビゲーションマネージャ１３は、ストリームバッファ領域４にＮＶ＿ＰＣＫ１０４が蓄積される場合（ステップ  Ｓ１０１  Ｙｅｓ）、ストリームバッファ領域４に蓄積されるＮＶ＿ＰＣＫ１０４を読み込む（ステップ  Ｓ１０２）。読み込まれたＮＶ＿ＰＣＫ１０４の中のＨＬＩ１０７は解析される（ステップ  Ｓ１０３）。ＨＬＩ１０７の解析後、所望のハイライト情報（色、位置、時間等）をプレゼンテーションエンジン１４に設定する（ステップ  Ｓ１０４）。プレゼンテーションエンジン１４にハイライト情報が設定された後、ナビゲーションマネージャ１３は、プレゼンテーションエンジン１４から通知される３種類の割込みを待つ。次に図８乃至１０を用いて３種類の割込み通知について説明する。
【００４６】
図８は第１の割込み通知を説明するフローチャートである。第１の割込み通知とは、ユーザが例えばキー入力部１６を操作することで行われるボタン決定処理の終了時に発生する割り込み通知である。第１の割込み通知が発生した場合（ステップ  Ｓ１０５  Ｙｅｓ）、ナビゲーションマネージャ１３はボタン決定後に行われるＢＴＮ＿ＣＭＤ４１３等を実行する（ステップ  Ｓ１０６）。
【００４７】
図９は第２の割込み通知を説明するフローチャートである。第２の割込み通知とは、ボタンの選択有効期間の終了時刻ＢＴＮ＿ＳＬ＿Ｅ＿ＰＴＭになったことを示す割込み通知である。第２の割込み通知が発生した場合（ステップ  Ｓ１０７  Ｙｅｓ）、ナビゲーションマネージャ１３はボタン決定後に行われるＢＴＮ＿ＣＭＤ４１３等を実行する（ステップ  Ｓ１０８）。
【００４８】
図１０は第３の割込み通知を説明するフローチャートである。第３の割込み通知とは、ハイライトの終了時刻ＨＬＩ＿Ｅ＿ＰＴＭになったことを示す割込み通知である。第３の割込み通知が発生した場合（ステップ  Ｓ１０９  Ｙｅｓ）、ナビゲーションマネージャ１３は、プレゼンテーションエンジン１４において現在制御中のハイライトが終了したことを認識し、次に表示されるハイライトを制御するための処理を行う（ステップ  Ｓ１１０）。
【００４９】
ナビゲーションマネージャ１３が所望のハイライト情報をプレゼンテーションエンジン１４に設定した後、ユーザによる例えばキー入力部１６の操作に基いて新たなボタン決定処理（ボタン再設定）がなされた場合（ステップ  Ｓ１１１  Ｙｅｓ）、ナビゲーションマネージャ１３はプレゼンテーションエンジン１４に対し、ハイライト情報の再設定を行う（ステップ  Ｓ１１２）。次に、プレゼンテーションエンジン１４にて行われる制御について説明する。
【００５０】
図１１は、本発明に係るプレゼンテーションエンジンによる制御の一実施例を示すフローチャートである。
【００５１】
プレゼンテーションエンジン１４は、ナビゲーションマネージャ１３によってハイライト情報が設定されるのを待機する。ナビゲーションマネージャ１３によってハイライト情報が設定された場合（ステップ  Ｓ２０１  Ｙｅｓ）、プレゼンテーションエンジン１４は副映像デコーダ８に該ハイライト情報を設定する（ステップ  Ｓ２０２）。プレゼンテーションエンジン１４は副映像デコーダ８にハイライト情報を設定した後、該ハイライトの時間管理を行う（ステップ  Ｓ２０３）。また、プレゼンテーションエンジン１４はナビゲーションマネージャ１３に対して３種類の割込みを通知する。次に図１２乃至１４を用いてナビゲーションマネージャ１３に通知される３種類の割込みについて説明する。
【００５２】
図１２はナビゲーションマネージャに通知される第１の割込みを説明するフローチャートである。第１の割込み通知とは、ナビゲーションマネージャ１３によってハイライト情報が設定（図１２のステップ  Ｓ１１２）され（ステップ  Ｓ２０４  Ｙｅｓ）、該ハイライト情報に基いて該当ボタンが決定色にハイライトされた場合にナビゲーションマネージャ１３に対してなされる通知である（ステップ  Ｓ２０５）。
【００５３】
図１３はナビゲーションマネージャに通知される第２の割込みを説明するフローチャートである。第２の割込み通知とは、プレゼンテーションエンジン１４がハイライト情報の時間管理を行うことで、ボタンの選択有効期間の終了時刻ＢＴＮ＿ＳＬ＿Ｅ＿ＰＴＭであるか否かを判定し、該終了時刻ＢＴＮ＿ＳＬ＿Ｅ＿ＰＴＭであると判定した場合（ステップ  Ｓ２０６  Ｙｅｓ）にナビゲーションマネージャ１３に対して行う通知である（ステップ  Ｓ２０７）。
【００５４】
図１４はナビゲーションマネージャに通知される第３の割込み説明するフローチャートである。第３の割込み通知とは、プレゼンテーションエンジン１４がハイライト情報の時間管理を行うことで、ハイライトの終了時刻ＨＬＩ＿Ｅ＿ＰＴＭであるか否かを判定し、該終了時刻ＨＬＩ＿Ｅ＿ＰＴＭであると判定した場合（ステップ  Ｓ２０８  Ｙｅｓ）にナビゲーションマネージャ１３に対して行う通知である（ステップ  Ｓ２０９）。次に、ナビゲーションマネージャ１３による複数のハイライト情報の設定について説明する。
【００５５】
図１５は、ナビゲーションマネージャがプレゼンテーションエンジンに複数のハイライト情報を設定するタイミングを示す図である。
【００５６】
図１５に示すとおり、先行して表示される第１のハイライトの表示終了時刻と第１のハイライトの表示後に表示される第２のハイライトの表示開始時刻とが同じ時刻（ｔ４）である場合を従来例と比較して説明する。
【００５７】
時刻ｔ１においてプレゼンテーションエンジン１４に第１のハイライト情報が設定される。第１のハイライト情報は、第１のＨＬＩ＿Ｓ＿ＰＴＭとして時刻ｔ２、第１のＨＬＩ＿Ｅ＿ＰＴＭとして時刻ｔ４の情報を有する。また、第２のハイライト情報は、第２のＨＬＩ＿Ｓ＿ＰＴＭとして時刻ｔ４、第２のＨＬＩ＿Ｅ＿ＰＴＭとして時刻ｔ６の情報を有する。
【００５８】
本発明において、ナビゲーションマネージャ１３はプレゼンテーションエンジン１４に第１のハイライト情報を設定し、第１のハイライトが終了する時刻ｔ４よりも前の時刻に第２のハイライト情報を設定する。第２のハイライト情報は例えばプレゼンテーションエンジン１４から読み出し可能であるバッファ領域１５に記憶される。したがって、従来、第１のハイライトの表示を終了させ、その後の時刻（図１５におけるｔ５）において第２のハイライト情報を設定することが可能であったものの、本発明は例えばプレゼンテーションエンジン１４から読み出し可能であるバッファ領域１５を設け、時刻ｔ４よりも前に第２のハイライト情報を該バッファ領域１５に記憶させておく。次に設定された複数のハイライト情報を用いて、複数のハイライトが表示されるタイミングを説明する。
【００５９】
図１６は、プレゼンテーションエンジン１４に設定される複数のハイライト情報を用いてハイライトの表示開始及び終了が行われるタイミングを示す図である。
【００６０】
従来、第１のハイライトの表示が終了した後の時刻（図１５におけるｔ５）において第２のハイライト情報を設定することが可能であったため、第１のハイライトの表示の終了時刻と第２のハイライトの表示の開始時刻とが一致せず、第１のハイライトの表示終了後、第２のハイライトの表示が開始されるまでに無表示の時間帯があった。しかしながら、図１５を用いて説明したとおり、プレゼンテーションエンジン１４から読み出し可能であるバッファ領域１５を設けることで、第１のハイライトの表示が終了する時刻よりも前の時刻（図１５におけるｔ３）に第２のハイライト情報を設定することで、時刻ｔ４に第１のハイライトの表示を終了させた後、無表示の時間帯を生じさせること無く、時刻ｔ４に第２のハイライトの表示を開始させることが可能となる。次に、ナビゲーションマネージャ１３による複数のハイライト情報の設定に関し、現在表示中のハイライトの次に表示されるハイライトのＦＯＳＬ＿ＢＴＮＮが０の場合ついて説明する。
【００６１】
図１７は、ナビゲーションマネージャ１３がプレゼンテーションエンジン１４に複数のハイライト情報を設定するタイミング等を示すとともに、第２のハイライトが表示される前にボタン番号を変更しない場合のボタンの表示内容を示す図である。
【００６２】
時刻ｔ１においてプレゼンテーションエンジン１４に第１のハイライト情報が設定される。第１のハイライト情報は、第１のＨＬＩ＿Ｓ＿ＰＴＭとして時刻ｔ２、第１のＨＬＩ＿Ｅ＿ＰＴＭとして時刻ｔ４の情報を有する。また、第２のハイライト情報は、第２のＨＬＩ＿Ｓ＿ＰＴＭとして時刻ｔ４、第２のＨＬＩ＿Ｅ＿ＰＴＭとして時刻ｔ５、ＦＯＳＬ＿ＢＴＮＮとしてゼロ、の情報を有する。
【００６３】
本発明においてナビゲーションマネージャ１３は、図１５及び図１６を用いて説明したように、プレゼンテーションエンジン１４に、時刻ｔ１において第１のハイライト情報を設定し、第１のハイライトが終了する時刻ｔ４よりも前の時刻ｔ３に第２のハイライト情報を設定する（図１７の設定タイミングを参照）。第２のハイライト情報は例えばプレゼンテーションエンジン１４から読み出し可能であるバッファ領域１５に記憶される。したがって、時刻ｔ４に第１のハイライトの表示を終了させた後、無表示の時間帯を生じさせること無く、時刻ｔ４に第２のハイライトの表示を開始させることが可能となる（図１７の表示タイミングを参照）。
【００６４】
また、第２のハイライト情報は、ＦＯＳＬ＿ＢＴＮＮとしてゼロが設定されているので、第２のハイライトの表示開始の際、強制的にボタン番号が選択されない。そこで、ナビゲーションマネージャ１３によって第２のハイライト情報がプレゼンテーションエンジン１４に設定される際、第１のハイライト表示において設定されているボタン番号（ボタンｎ）と同様のボタン番号（ボタンｎ）を設定する。
【００６５】
第２のハイライトの表示が開始される時刻ｔ４までに、例えばユーザ等の操作によってボタン番号の設定変更が行われない場合、時刻ｔ４以降において、第１のハイライト表示において設定されているボタン番号と同様のボタン番号が使用される（図１７の表示内容を参照）。次に、第２のハイライトが表示される前に第１のボタン番号から変更される場合について説明する。
【００６６】
図１８は、ナビゲーションマネージャ１３がプレゼンテーションエンジン１４に複数のハイライト情報を設定するタイミング等を示すとともに、第２のハイライトが表示される前にボタン番号を変更する場合のボタンの表示内容を示す図である。
【００６７】
第２のハイライトの表示が開始される時刻ｔ４までに、例えば時刻ｔ６にユーザ等の操作によってボタンｎからボタンＮへとボタン番号の設定変更が行われた場合、ナビゲーションマネージャ１３は第１のハイライト表示において設定されているボタン番号をボタンｎからボタンＮへと変更する（図１８の設定タイミング参照）。第２のハイライトの表示が開始される時刻ｔ４までに第１のハイライト表示において設定されているボタン番号がボタンｎからボタンＮへと変更されるので、時刻ｔ４以降において第２のハイライトが表示される際、第１のハイライト表示において変更されたボタン番号Ｎが表示される（図１８の表示タイミング参照）。
【００６８】
ユーザ等の操作によってボタンｎからボタンＮへとボタン番号の設定変更が行われるに伴い第２のハイライト表示において設定されているボタン番号をボタンｎからボタンＮへと変更させない場合、第１のハイライト表示の終了後、第２のハイライト表示において設定されているボタンｎが表示され、その後、設定変更されたボタンＮが表示されるという問題が生じる。しかしながら、ユーザ等の操作によるボタンｎからボタンＮへのボタン番号の設定変更に伴い、第２のハイライト表示に設定されるボタン番号をボタンｎからボタンＮへと変更することで、第１のハイライトのボタンＮの表示が終了し、第２のハイライトの表示が開始される際、ボタンｎを表示させることなく、ボタンＮを表示させることが可能となる。
【００６９】
図１９は、ボタン選択終了時刻の値が０ｘＦＦＦＦＦＦＦＦではなく、さらにハイライト表示終了時刻と同時刻である場合におけるハイライト情報設定タイミングおよび表示内容を示す第１の図である。
【００７０】
ＤＶＤ規格において、ボタンコマンド内にＪｕｍｐまたはＬｉｎｋコマンドがある場合、ボタンコマンド実行に伴う分岐が行われ、ビデオストリームが表示される。ここで分岐先のビデオストリームが表示されるまでの処理手順を説明する。ユーザの選択操作に応答して、ボタンは選択状態に移行し、選択色が表示される。次にユーザの決定操作に応答して、ボタンは決定状態に移行する。決定色が表示され、ボタンコマンドが実行される。分岐先のビデオストリームが表示されるまで、決定色が表示され、その後、分岐先のビデオストリームが表示される。
【００７１】
ボタン選択終了時刻の値が０ｘＦＦＦＦＦＦＦＦ（０ｘＦＦＦＦＦＦＦＦは終了時刻が無いことを表す。）ではなく、さらにハイライト表示終了時刻と同時刻である場合、例えばボタン選択終了時刻においてユーザの決定操作に応答することでボタンが決定状態へと移行すると、ボタン選択終了時刻とハイライト表示終了時刻とは同時刻であるため、ビデオストリームが表示されるまで表示される決定色が表示されない。または決定色が表示されたとしても、一瞬表示された状態となる。
【００７２】
上述で説明した決定色が表示されないという問題を解決するために、本発明に係るディスク記録再生装置のプレゼンテーションエンジン１４は、ハイライト終了時刻を０ｘＦＦＦＦＦＦＦＦ（終了時刻無し）へ変更し、副映像デコーダ８にハイライト設定を行う。
【００７３】
プレゼンテーションエンジン１４がハイライト終了時刻を０ｘＦＦＦＦＦＦＦＦへと変更することで、ボタン選択終了時刻とハイライト終了時刻とが一致しないため、ボタン選択終了時刻にボタンが決定状態へと移行しビデオストリームが表示されるまでの間、決定色を表示させることが可能となる。
【００７４】
図２０は、ボタン選択終了時刻の値が０ｘＦＦＦＦＦＦＦＦではなく、さらにハイライト表示終了時刻と同時刻である場合におけるハイライト情報設定タイミングおよび表示内容を示す第２の図である。
【００７５】
ＤＶＤ規格において、ボタンコマンド内にＪｕｍｐまたはＬｉｎｋコマンドがない場合、ボタンコマンド実行に伴う分岐が行われず、サブピクチャの有効期間終了（ハイライト表示終了時刻）まで決定色が表示される。
【００７６】
図１９で説明したとおり、ボタン選択終了時刻の値が０ｘＦＦＦＦＦＦＦＦではなく、さらにハイライト表示終了時刻と同時刻である場合、例えばボタン選択終了時刻においてユーザの決定操作に応答することでボタンコマンドが実行されると、ボタン選択終了時刻とハイライト表示終了時刻とは同時刻であるため、決定色が表示されない。または決定色が表示されたとしても、一瞬表示された状態となる。
【００７７】
上述で説明した決定色が表示されないという問題を解決するために、本発明に係るディスク記録再生装置のプレゼンテーションエンジン１４は、ハイライト終了時刻を０ｘＦＦＦＦＦＦＦＦへ変更し、副映像デコーダ８にハイライト設定を行う。さらに、プレゼンテーションエンジン１４は、副映像デコーダ８にボタン選択終了時刻において決定色の表示を終了させるように設定する。
【００７８】
ボタン選択終了時刻において決定色の表示を終了させるように設定することで、ボタンコマンドが実行されることに応じて表示される決定色を、ボタン選択終了時刻に表示終了させることが可能となる。
【００７９】
図２１は、本発明の第２の実施形態に係るディスク記録再生装置の構成を示す図である。
【００８０】
図１を用いて説明した第１の実施形態に係るディスク記録再生装置１の構成と異なる構成を説明する。第１の実施形態に係るディスク記録再生装置１では、ナビゲーションマネージャ１３がストリームバッファ領域３に蓄積されるナビゲーションデータを読み取っていたが、第２の実施形態に係るディスク記録再生装置１Ａでは、プレゼンテーションエンジン１４Ａがストリームバッファ領域３Ａに蓄積されるナビゲーションデータを読み取る。
【００８１】
図１を用いて説明した第１の実施形態に係るディスク記録再生装置１では、ナビゲーションマネージャ１３がプレゼンテーションエンジン１４にナビゲーションデータを送ることで、プレゼンテーションエンジン１４はハイライト表示の開始時刻を始めとするハイライト情報を得ている。一方、第２の実施形態に係るディスク記録再生装置１Ａではプレゼンテーションエンジン１４Ａがストリームバッファ３Ａからナビゲーションデータを読み取る。従って、プレゼンテーションエンジン１４Ａはナビゲーションマネージャ１３Ａからハイライト表示の開始時刻を始めとするハイライト情報を得る必要が無く、ボタン番号のデータを得る程度で上述において説明した、ハイライト情報に基づく制御を行うことが可能となる。
【００８２】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８３】
【図１】本発明の一実施形態に係るディスク記録再生装置の構成を示す図。
【図２】光ディスクに記憶されているデータのパック構造を示す図。
【図３】ＰＣＩデータの内容を示した図。
【図４】ハイライト一般情報の内容を示した図。
【図５】ボタン・カラー情報テーブルの内容を示した図。
【図６】ボタン情報テーブルの内容を示した図。
【図７】本発明に係るナビゲーションマネージャによる制御の一実施例を示すフローチャート。
【図８】第１の割込み通知を説明するフローチャート。
【図９】第２の割込み通知を説明するフローチャート。
【図１０】第３の割込み通知を説明するフローチャート。
【図１１】本発明に係るプレゼンテーションエンジンによる制御の一実施例を示すフローチャート。
【図１２】ナビゲーションマネージャに通知される第１の割込みを説明するフローチャート。
【図１３】ナビゲーションマネージャに通知される第２の割込みを説明するフローチャート。
【図１４】ナビゲーションマネージャに通知される第３の割込み説明するフローチャート。
【図１５】ナビゲーションマネージャがプレゼンテーションエンジンに複数のハイライト情報を設定するタイミングを示す図。
【図１６】プレゼンテーションエンジンに設定される複数のハイライト情報を用いてハイライトの表示開始及び終了が行われるタイミングを示す図。
【図１７】ナビゲーションマネージャがプレゼンテーションエンジンに複数のハイライト情報を設定するタイミング等を示すとともに、第２のハイライトが表示される前にボタン番号を変更しない場合のボタンの表示内容を示す図。
【図１８】ナビゲーションマネージャがプレゼンテーションエンジンに複数のハイライト情報を設定するタイミング等を示すとともに、第２のハイライトが表示される前にボタン番号を変更する場合のボタンの表示内容を示す図。
【図１９】ボタン選択終了時刻の値が０ｘＦＦＦＦＦＦＦＦではなく、さらにハイライト表示終了時刻と同時刻である場合におけるハイライト情報設定タイミングおよび表示内容を示す第１の図。
【図２０】ボタン選択終了時刻の値が０ｘＦＦＦＦＦＦＦＦではなく、さらにハイライト表示終了時刻と同時刻である場合におけるハイライト情報設定タイミングおよび表示内容を示す第２の図。
【図２１】本発明の第２の実施形態に係るディスク記録再生装置の構成を示す図。
【符号の説明】
【００８４】
１…ディスク記録再生装置、１ａ…ＡＶ部、１ｂ…システム制御部、
１ｃ…入出力部、２…光ディスク、３…ディスクドライブ、
４…ストリームバッファ領域、５…ストリームデコーダ、
６…ビデオデコーダ、７…表示制御部、８…副映像デコーダ、
９…表示装置、１０…オーディオデコーダ、１１…ＤＡＣ、１２…スピーカ、
１３…ナビゲーションマネージャ、１４…プレゼンテーションエンジン、
１５…バッファ領域、１６…キー入力部、１７…パネル表示部、
【図１】
2005135559.tif 000003
【図２】
2005135559.tif 000004
【図３】
2005135559.tif 000005
【図４】
2005135559.tif 000006
【図５】
2005135559.tif 000007
【図６】
2005135559.tif 000008
【図７】
2005135559.tif 000009
【図８】
2005135559.tif 000010
【図９】
2005135559.tif 000011
【図１０】
2005135559.tif 000012
【図１１】
2005135559.tif 000013
【図１２】
2005135559.tif 000014
【図１３】
2005135559.tif 000015
【図１４】
2005135559.tif 000016
【図１５】
2005135559.tif 000017
【図１６】
2005135559.tif 000018
【図１７】
2005135559.tif 000019
【図１８】
2005135559.tif 000020
【図１９】
2005135559.tif 000021
【図２０】
2005135559.tif 000022
【図２１】
2005135559.tif 000023